(57)【特許請求の範囲】
【請求項１】
複数設けられた周波数帯域のいずれかによって基地局と移動局とが通信する移動体通信システムの移動局において、
基地局からの無線信号を受信するアンテナと、該アンテナで受信した無線信号のうち復調対象の周波数帯域の成分を抽出する無線部と、該無線部に対して復調対象の周波数帯域を指示する制御部と、直前の通信において用いた周波数帯域を記憶し、ユーザが指定した地域を記憶し、該地域に対応した周波数帯域を記憶する不揮発性の記憶部と、を有し、
前記制御部が、今回の基地局との通信で用いられる周波数帯域を検出するため前記無線部に対して周波数帯域を指示する際に、前記複数設けられた周波数帯域のうち直前の通信において用いた周波数帯域の指示、および前記記憶部に記憶された地域に対応した周波数
帯域の指示を、他の周波数帯域の指示よりも先に行い、前記直前の通信において用いた周波数帯域において今回の基地局との通信が確立した場合には、前記記憶部への周波数帯域の記憶を省略することを特徴とする移動局。
【請求項２】
複数設けられた周波数帯域のいずれかによって基地局と移動局とが通信する移動体通信システムの移動局が、基地局からの無線信号の周波数帯域を検出する周波数帯域検出方法において、
基地局からの無線信号を受信するアンテナと、該アンテナで受信した無線信号のうち復調対象の周波数帯域の成分を抽出する無線部と、該無線部に対して復調対象の周波数帯域を指示する制御部と、直前の通信において用いた周波数帯域を記憶し、ユーザが指定した地域を記憶し、該地域に対応した周波数帯域を記憶する不揮発性の記憶部と、を有し、
前記制御部が、今回の基地局との通信で用いられる周波数帯域を検出するため前記無線部に対して周波数帯域を指示する際に、前記複数設けられた周波数帯域のうち直前の通信において用いた周波数帯域の指示、および前記記憶部に記憶された地域に対応した周波数帯域の指示を、他の周波数帯域の指示よりも先に行い、前記直前の通信において用いた周波数帯域において今回の基地局との通信が確立した場合には、前記記憶部への周波数帯域の記憶を省略することを特徴とする周波数帯域検出方法。
【発明の詳細な説明】
【０００１】
【発明の属する技術分野】
本発明は移動体通信システムの移動局に関し、特に、通信のための周波数帯域が複数用意され、その複数の周波数帯域のいずれかにおいて基地局との通信を行う移動局および周波数帯域検出方法に関する。
【０００２】
【従来の技術】
最近では、携帯電話システム等の移動体通信システムが広く普及してきている。
【０００３】
このような移動体通信システムでは、移動局すなわち携帯電話装置や無線携帯端末装置等と電話網に接続された基地局との間で無線通信することによって、電話網に接続された他の電話機や通信装置との通信を可能としている。
【０００４】
また、移動局と基地局との間の無線通信では、信号を所定の周波数帯域で変調して送受信することによって通信を実現している。
【０００５】
ところで、このような移動体通信システムで用いられる通信方式のひとつにＣＤＭＡ（Ｃｏｄｅ  Ｄｉｖｉｓｉｏｎ  Ｍｕｌｔｉｐｌｅ  Ａｃｃｅｓｓ）がある。
【０００６】
このＣＤＭＡでは、送信側において送信したいデータごとに異なる予め定めた拡散符号によってデータを拡散して送信し、受信側においては送信側と同じ拡散符号（正確には、送信側の拡散符号と複素共役な符号）によって受信信号を拡散（いわゆる逆拡散）してデータを得る。すなわち、このようなＣＤＭＡによる通信では、受信側において受信した信号を逆拡散するタイミングをずらし、その相関値のピークを見つけ出すことによって、送信側が送信した信号を再現することができる。
【０００７】
このような移動体通信システムの実際の通信環境においては、通信のための周波数帯域が複数用意され、その複数の周波数帯域のいずれかにおいて基地局と移動局とが通信を行うよう構成されている。
【０００８】
この通信のための周波数帯域は、たとえば基地局ごとに異なるものが用いられ、移動局では、複数の周波数帯域のうち、現在自分がいるエリアの基地局が用いている周波数帯域の信号を選択して通信に用いる。なお、Ｗ（Ｗｉｄｅｂａｎｄ）−ＣＤＭＡ方式の場合、拡散符号が基地局ごとに異なれば、必ずしもすべての基地局で異なる周波数帯域を使用する必要はないが、自分がいるエリア内の通信事業者が異なれば、周波数帯域も異なることがあるので、現在自分がいるエリアの基地局が用いている周波数帯域の信号を選択して通信する必要がある。
【０００９】
【発明が解決しようとする課題】
このような状況において、従来の移動局では、自分がいるエリアの基地局が用いている周波数帯域が、移動体通信システムで設けられた複数のもののうちのいずれであるかがわからないため、この移動体通信システムで設けられた複数の周波数帯域のすべてについて順次受信動作を行い、無線信号の有無を検出し、通信に用いる周波数帯域を決定するようにしていた。
【００１０】
このため、従来の移動局では、基地局との通信を行えるようになるまでに、移動体通信システムで設けられた複数の周波数帯域のすべてを順番にサーチする必要があり、使用する周波数帯域を見つけ出すまでに大変な時間がかかってしまうという問題があった。
【００１１】
特に、通信に用いる周波数帯域の数が多い場合には、このサーチに要する時間が非常に長くなり、このため、従来の移動局では、移動局の電源投入から使用可能になるまでの時間が長く、操作者にとっては使い勝手の悪いものとなってしまっていた。
【００１２】
本発明は上記の点にかんがみてなされたもので、複数の周波数帯域のいずれかにおいて基地局との通信を行う移動局において、使用する周波数帯域を見つけ出すまでの時間を短縮することを目的とする。
【００１３】
【課題を解決するための手段】
本発明は上記の目的を達成するために、請求項１に記載の発明では、複数設けられた周波数帯域のいずれかによって基地局と移動局とが通信する移動体通信システムの移動局において、基地局からの無線信号を受信するアンテナと、該アンテナで受信した無線信号のうち復調対象の周波数帯域の成分を抽出する無線部と、該無線部に対して復調対象の周波数帯域を指示する制御部と、直前の通信において用いた周波数帯域を記憶し、ユーザが指定した地域を記憶し、該地域に対応した周波数帯域を記憶する不揮発性の記憶部と、を有し、前記制御部が、今回の基地局との通信で用いられる周波数帯域を検出するため前記無線部に対して周波数帯域を指示する際に、前記複数設けられた周波数帯域のうち直前の通信において用いた周波数帯域の指示、および前記記憶部に記憶された地域に対応した周波数帯域の指示を、他の周波数帯域の指示よりも先に行い、前記直前の通信において用いた周波数帯域において今回の基地局との通信が確立した場合には、前記記憶部への周波数帯域の記憶を省略することを特徴とする。
【００１４】
また、請求項２に記載の発明では、複数設けられた周波数帯域のいずれかによって基地局と移動局とが通信する移動体通信システムの移動局が、基地局からの無線信号の周波数帯域を検出する周波数帯域検出方法において、基地局からの無線信号を受信するアンテナと、該アンテナで受信した無線信号のうち復調対象の周波数帯域の成分を抽出する無線部と、該無線部に対して復調対象の周波数帯域を指示する制御部と、直前の通信において用いた周波数帯域を記憶し、ユーザが指定した地域を記憶し、該地域に対応した周波数帯域を記憶する不揮発性の記憶部と、を有し、前記制御部が、今回の基地局との通信で用いられる周波数帯域を検出するため前記無線部に対して周波数帯域を指示する際に、前記複数設けられた周波数帯域のうち直前の通信において用いた周波数帯域の指示、および前記記憶部に記憶された地域に対応した周波数帯域の指示を、他の周波数帯域の指示よりも先に行い、前記直前の通信において用いた周波数帯域において今回の基地局との通信が確立した場合には、前記記憶部への周波数帯域の記憶を省略することを特徴とする。
【００２４】
【発明の実施の形態】
以下、本発明の実施の形態を図面を参照して説明する。
【００２５】
以下の実施の形態では、ＣＤＭＡ移動体通信システムにおける移動局に本発明を適用する場合について説明する。
【００２６】
図１は、本発明による移動局が適用される、ＣＤＭＡ移動体通信システムの一例の概要を示すブロック図である。
【００２７】
移動体通信システムの網側を構成する基地局−基地局制御装置−交換局は、移動体通信システムが提供するサービスの多様化（マルチメディア化）や、各基地局、基地局制御装置および交換局を接続する伝送路の効率的な利用（統計多重）の観点からＡＴＭ（Ａｓｙｎｃｈｒｏｎｏｕｓ  Ｔｒａｎｓｆｅｒ  Ｍｏｄｅ）通信技術等が適用されるようになってきている。
【００２８】
移動局１は、移動体通信システムによって他の移動局や他の網に接続された端末装置等と通信を行う。通信の種類は音声やデータ通信などさまざまなものがあり得る。
【００２９】
移動局１からの送信データは、無線通信によって基地局２に通信データとして送信される。基地局２では、移動局１やその他の移動局から受信した通信データをＡＴＭセルに組み立てたり様々な処理を施した後に基地局制御装置３に送信する。
【００３０】
このように、無線区間での通信データが音声、画像、その他の形態のデータであろうとも、網内においては基地局においてＡＴＭセル化された情報が伝送されるのでマルチメディア化された通信形態に容易に対応することができる。
【００３１】
基地局制御装置３では、基地局２から受け取ったＡＴＭセルをユーザごとにルーチングし、交換局４や自分の管理下の他の基地局へと送信する。交換局４では、基地局制御装置３と同様に、基地局制御装置３から受け取ったＡＴＭセルをユーザごとにルーチングし、他の交換局や関門局５へと送信する。
【００３２】
このようなＡＴＭセルの伝送は、ＡＴＭセルの発生に応じて伝送路内を流せばよく、従来のようにあらかじめ決められたチャネルごとの伝送路を設ける必要がないので、統計多重の効果が得られて伝送路を効率的に利用することができる。
なお、関門局５は他の網への中継を行うために設けられたものである。
【００３３】
基地局２が網側からのデータを移動局１に送信する際には、ＱＰＳＫ等の１次変調を行った後、２次変調として符号拡散を行い、この結果、予め定めた周波数（中間周波数）を中心に予め定めた周波数帯域幅にスペクトラム拡散された拡散信号を送信する。移動局１では、復調回路を用いて、基地局２から受信した受信信号に逆拡散を施すことによって復調し、網側からのデータを再現する。
【００３４】
図２は、図１に示した移動局１が適用されるＣＤＭＡ移動体通信システムの通信環境を示すブロック図である。
【００３５】
この図２に示すＣＤＭＡ移動体通信システムでは、セルラ方式を採用しており、基地局２ａがカバーする範囲がセル６ａであり、基地局２ｂがカバーする範囲がセル６ｂであり、基地局２ｃがカバーする範囲がセル６ｃである。
【００３６】
図３は、図１に示した移動局１の構成の一例を示すブロック図である。
【００３７】
図３に示すように、移動局１は、基地局からの無線信号を受信するとともに基地局に対して無線信号を送信するアンテナ１１と、受信した無線信号の復調や送信する信号の変調等を行う無線部１２と、アナログベースバンド処理を行うアナログベースバンド部１３と、ディジタルベースバンド処理を行うディジタルベースバンド部１４と、全体の制御を行うＣＰＵ１５と、各種パラメータ等を記憶する不揮発性の記憶手段であるメモリ１６と、マイクロフォン、レシーバ、操作入力部や表示部等を有する周辺回路１７とを有して構成される。
【００３８】
図４は、図３に示した無線部１２の内部構成を示すブロック図である。
【００３９】
図４に示すように、無線部１２は、送信と受信との切り替えを行う送受切替器２０と、送信回路２１と、受信回路２２と、変調または復調用の周波数を発生するシンセサイザ２３とを有して構成される。
【００４０】
図５は、基地局から送信される無線信号の周波数帯域について説明する図である。
【００４１】
ここでは、図５に示すように、移動体通信システムの下り側（基地局から移動局への通信）に２１１０ＭＨｚから２１７０ＭＨｚの間の周波数が割り当てられ、基地局からの無線信号が５ＭＨｚの周波数帯域幅でスペクトラム拡散されて送信される場合について説明する。
【００４２】
このような場合、スペクトラム拡散された無線信号の中間周波数と成り得る周波数の数は、最小刻みを０．２ＭＨｚとしたとき、２１１２．４ＭＨｚから２１６７．６ＭＨｚまでの間を０．２ＭＨｚごとに数えた３００波にも及ぶ。なお、２１１０ＭＨｚから２１１２．４ＭＨｚまでの間、および２１６７．６ＭＨｚから２１７０ＭＨｚまでの間の周波数は、周波数帯域幅が５ＭＨｚであることから中間周波数には成り得ない。
【００４３】
基地局においてどの周波数帯域を用いるかは、通信事業者によって異なる可能性があり、また、国によっても異なる可能性があるため、移動局１では、この３００波にも及ぶ周波数のすべてについて順番に、無線信号を検出できるか否かを調べなければならず、従来はこのために非常に時間がかかってしまうものであった。本発明はこの時間を短縮しようとするものである。
【００４４】
図６は、本発明による移動局の第１の実施の形態において、図３に示したメモリ１６に記憶される内容の構成を示した図である。
【００４５】
本実施の形態では、図６に示すように、メモリ１６内に前回値エリア３０と上限値エリア３１と下限値エリア３２とが設けられる。
【００４６】
前回値エリア３０には、移動局１が前回基地局と通信した際の周波数帯域の中間周波数が記憶され、上限値エリア３１には、移動体通信システムで定められた中間周波数と成り得る上限の周波数（ここでは２１６７．６ＭＨｚ）が記憶され、下限値エリア３２には、移動体通信システムで定められた中間周波数と成り得る下限の周波数（ここでは２１１２．４ＭＨｚ）が記憶される。
【００４７】
図７は、本発明による移動局の第１の実施の形態における処理のフローチャートを示す図である。
【００４８】
まず、移動局１が電源投入されたときなどで基地局からの無線信号の周波数帯域を見つける必要がある場合、ＣＰＵ１５では、メモリ１６の前回値エリア３０から、前回通信した際の中間周波数を読み出してくる（Ａ−１）。
【００４９】
この結果、今まで１度も通信していないなどの理由で、前回値エリア３０に値が格納されていない場合には（Ａ−２）、ステップ（Ａ−５）に進み、後述する全周波サーチを行う。
【００５０】
ステップ（Ａ−２）において前回の周波数が得られたならば、ＣＰＵ１５では、その値を無線部１２のシンセサイザ２３に指示し、その周波数での復調を試みる（Ａ−３）。その結果、無線信号が検出できた場合には（Ａ−４）、その周波数帯域で受信を継続させる（Ａ−６）。
【００５１】
ステップ（Ａ−４）において無線信号が検出できなかった場合は、ステップ（Ａ−２）において前回の周波数が得られなかった場合と同様に、ステップ（Ａ−５）に進む。ステップ（Ａ−５）では、たとえば、メモリ１６の上限値エリア３１および下限値エリア３２から上限の周波数および下限の周波数を読み出し、この範囲内で最小刻み０．２ＭＨｚごとの周波数を無線部１２のシンセサイザ２３に指示し、その周波数での復調を試み、無線信号が検出できるまでこの検索を繰り返す。この際の検索方法は、上方検索でも下方検索でもよく、いかなる検索方法をも採用することができる。ステップ（Ａ−５）において無線信号の周波数を見つけだせた場合も、その周波数帯域で受信を継続させる（Ａ−６）。
【００５２】
その後、ステップ（Ａ−７）では、今回検出できた周波数をメモリ１６の前回値エリア３０に書き込み、次回に備える。このとき、ステップ（Ａ−４）において無線信号を検出できた場合には、基地局からの無線信号の周波数帯域が前回と変わっていないため、ステップ（Ａ−７）の処理を省略してもよい。
【００５３】
次に本発明の別の実施の形態について説明する。
【００５４】
図８は、本発明による移動局の第２の実施の形態において、図３に示したメモリ１６に記憶される内容の構成を示した図である。
【００５５】
本実施の形態では、図８に示すように、メモリ１６内に履歴テーブル３３と上限値エリア３４と下限値エリア３５とが設けられる。
【００５６】
履歴テーブル３３には、過去に移動局１が基地局と通信した際の周波数帯域の中間周波数が数種類ある場合に、それらが新しい順に履歴として格納される。格納可能な数は特に定めなくてもよいが、製造段階で予め定めたり、ユーザが決められるようにしてもよい。
【００５７】
上限値エリア３４には、移動体通信システムで定められた中間周波数と成り得る上限の周波数（ここでは２１６７．６ＭＨｚ）が記憶され、下限値エリア３５には、移動体通信システムで定められた中間周波数と成り得る下限の周波数（ここでは２１１２．４ＭＨｚ）が記憶される。
【００５８】
図９は、本発明による移動局の第２の実施の形態における処理のフローチャートを示す図である。
【００５９】
まず、移動局１が電源投入されたときなどで基地局からの無線信号の周波数帯域を見つける必要がある場合、ＣＰＵ１５では、メモリ１６の履歴テーブル３３から、履歴を読み出してくる（Ｂ−１）。
【００６０】
この結果、今まで１度も通信していないなどの理由で、履歴テーブル３３に履歴が格納されていない場合には（Ｂ−２）、ステップ（Ｂ−５）に進み、後述する全周波サーチを行う。
【００６１】
ステップ（Ｂ−２）において履歴が得られたならば、ＣＰＵ１５では、その履歴のうち最新の周波数を無線部１２のシンセサイザ２３に指示し、その周波数での復調を試みる（Ｂ−３）。その結果、無線信号が検出できた場合には（Ｂ−４）、その周波数帯域で受信を継続させる（Ｂ−６）。
【００６２】
ステップ（Ｂ−４）において無線信号が検出できなかった場合は、ステップ（Ｂ−２）に戻り、履歴の中にまだ検出のチェックをしていない周波数が残っているかどうかをチェックする。チェックしていない周波数が履歴の中に残っている場合には、その中の最新の周波数を無線部１２のシンセサイザ２３に指示し、その周波数での復調を試みる（Ｂ−３）。その結果、無線信号が検出できた場合には（Ｂ−４）、その周波数帯域で受信を継続させる（Ｂ−６）。
【００６３】
ステップ（Ｂ−２）において履歴の中に検出のチェックをまだしていない周波数がなくなった場合には、履歴が得られなかった場合と同様に、ステップ（Ｂ−５）に進む。
【００６４】
ステップ（Ｂ−５）では、図７のステップ（Ａ−５）と同様に、たとえば、メモリ１６の上限値エリア３４および下限値エリア３５から上限の周波数および下限の周波数を読み出し、この範囲内で最小刻み０．２ＭＨｚごとの周波数を無線部１２のシンセサイザ２３に指示し、その周波数での復調を試み、無線信号が検出できるまでこの検索を繰り返す。この際の検索方法は、上方検索でも下方検索でもよく、いかなる検索方法をも採用することができる。ステップ（Ｂ−５）において無線信号の周波数を見つけだせた場合も、その周波数帯域で受信を継続させる（Ｂ−６）。
【００６５】
その後、ステップ（Ｂ−７）では、今回検出できた周波数を最新としてメモリ１６の履歴テーブル３３を更新し、次回に備える。このとき、履歴テーブル３３の中の最新の周波数において今回の無線信号を検出できた場合には、最新の周波数が今までと変わらないため、ステップ（Ｂ−７）の処理を省略してもよい。
【００６６】
なお、この実施の形態では、履歴テーブル３３内に、今まで通信した周波数が新しい順に格納されているものとしたが、本発明はこれに限られるものではなく、たとえば、各周波数の通信可能となった回数を記録しておき、その頻度に応じて、テーブル内の並び順、すなわち図９のステップ（Ｂ−３）、（Ｂ−４）において検出する順序を決定するようにしてもよい。
【００６７】
次に本発明のさらに別の実施の形態について説明する。
【００６８】
図１０は、本発明による移動局の第３の実施の形態において、図３に示したメモリ１６に記憶される内容の構成を示した図である。
【００６９】
本実施の形態では、図１０に示すように、メモリ１６内にユーザ登録テーブル３６と地域コード対応テーブル３７と上限値エリア３８と下限値エリア３９とが設けられる。
【００７０】
本実施の形態は、たとえば、地域ごとに基地局からの無線信号の周波数が定められている場合に、ユーザが自分がよく行く地域を登録しておくことによって、基地局からの無線信号の周波数を検出する処理の時間を短縮しようとするものである。
【００７１】
ユーザ登録テーブル３６には、ユーザが予め登録した地域に対応した周波数が、ユーザが指定した順序で格納される。格納可能な数は特に定めなくてもよいが、製造段階で予め定めたり、ユーザが決められるようにしてもよい。
【００７２】
地域コード対応テーブル３７には、各地域とその地域をカバーする基地局が用いている周波数との対応付けが予め格納されている。
【００７３】
上限値エリア３４には、移動体通信システムで定められた中間周波数と成り得る上限の周波数（ここでは２１６７．６ＭＨｚ）が記憶され、下限値エリア３５には、移動体通信システムで定められた中間周波数と成り得る下限の周波数（ここでは２１１２．４ＭＨｚ）が記憶される。
【００７４】
図１１は、本発明による移動局の第３の実施の形態における処理のフローチャートを示す図であり、図１０に示したユーザ登録テーブル３６に対する登録を行う処理のフローチャートを示す図である。
【００７５】
まず、ユーザは、自分がいる可能性の高い場所の地域コードを、周辺回路１７の操作入力部によって入力する（Ｃ−１）。この入力の方法は、予め定めた地域コードをユーザが直接入力するようにしてもよいが、ユーザが入力する際の利便性を考慮して、移動局１が対応している地域名を周辺回路１７の表示部に表示してその中からユーザが選択するなどの方法としてもよい。
【００７６】
移動局１では、ユーザから入力された地域コードに基づいて地域コード対応テーブル３７を検索し、その地域の基地局が無線信号を送信する際に使用する周波数を求める（Ｃ−２）。
【００７７】
次に、ステップ（Ｃ−２）において求めた周波数を、ユーザ登録テーブル３６に登録する（Ｃ−３）。なお、ユーザ登録テーブル３６内の各周波数の並び順、すなわち無線信号の有無を検出する順序は、ステップ（Ｃ−１）においてユーザが入力した順序にしてもよいし、ステップ（Ｃ−１）において、別途ユーザが優先順位を入力し、この優先順位の順番で並べるようにしてもよい。
【００７８】
図１２は、本発明による移動局の第３の実施の形態における処理のフローチャートを示す図であり、移動局１が基地局からの無線信号の周波数を検出する処理のフローチャートを示す図である。
【００７９】
まず、移動局１が電源投入されたときなどで基地局からの無線信号の周波数帯域を見つける必要がある場合、ＣＰＵ１５では、メモリ１６のユーザ登録テーブル３６から、ユーザが登録した周波数を読み出してくる（Ｄ−１）。
【００８０】
この結果、ユーザが１件も登録していないなどの理由で、ユーザ登録テーブル３６に周波数が格納されていない場合には（Ｄ−２）、ステップ（Ｄ−５）に進み、後述する全周波サーチを行う。
【００８１】
ステップ（Ｄ−２）においてユーザが登録した周波数が得られたならば、ＣＰＵ１５では、その周波数のうち並び順が最上位の周波数を無線部１２のシンセサイザ２３に指示し、その周波数での復調を試みる（Ｄ−３）。その結果、無線信号が検出できた場合には（Ｄ−４）、その周波数帯域で受信を継続させる（Ｄ−６）。
【００８２】
ステップ（Ｄ−４）において無線信号が検出できなかった場合は、ステップ（Ｄ−２）に戻り、ユーザが登録した周波数の中でまだ検出のチェックをしていない周波数が残っているかどうかをチェックする。チェックしていない周波数がユーザが登録した周波数の中に残っている場合には、そのうち並び順が最上位の周波数を無線部１２のシンセサイザ２３に指示し、その周波数での復調を試みる（Ｄ−３）。その結果、無線信号が検出できた場合には（Ｄ−４）、その周波数帯域で受信を継続させる（Ｄ−６）。
【００８３】
ステップ（Ｄ−２）においてユーザが登録した周波数の中に検出のチェックをまだしていない周波数がなくなった場合には、履歴が得られなかった場合と同様に、ステップ（Ｄ−５）に進む。
【００８４】
ステップ（Ｄ−５）では、図７のステップ（Ａ−５）と同様に、たとえば、メモリ１６の上限値エリア３８および下限値エリア３９から上限の周波数および下限の周波数を読み出し、この範囲内で最小刻み０．２ＭＨｚごとの周波数を無線部１２のシンセサイザ２３に指示し、その周波数での復調を試み、無線信号が検出できるまでこの検索を繰り返す。この際の検索方法は、上方検索でも下方検索でもよく、いかなる検索方法をも採用することができる。ステップ（Ｄ−５）において無線信号の周波数を見つけだせた場合も、その周波数帯域で受信を継続させる（Ｄ−６）。
【００８５】
なお、上述の第１の実施の形態と第３の実施の形態とを組み合わせ、移動局１が前回基地局と接続された際の周波数およびユーザが登録した周波数を、他の周波数よりも先に検出チェックを行うようにしてもよい。
【００８６】
また、上述の第２の実施の形態と第３の実施の形態とを組み合わせ、移動局１が過去に基地局と接続された際の履歴の周波数およびユーザが登録した周波数を、他の周波数よりも先に検出チェックを行うようにしてもよい。
【００８７】
また、たとえば通信事業者によって基地局からの無線信号の周波数が異なり、移動局１が複数の通信事業者の元で使用可能である場合には、上述の第３の実施の形態においてユーザが地域を登録したのと同じように、よく使う通信事業者を移動局１に登録しておき、移動局１ではその通信事業者に割り当てられた周波数について検出のチェックを優先させるようにすることもできる。
【００８８】
また、上述の各実施の形態では、ＣＤＭＡ方式の移動体通信システムに本発明を適用した場合について説明したが、本発明はこれに限られるものではなく、ＴＤＭＡ方式や他のいかなる通信方式に対しても適用できることは言うまでもない。
【００８９】
また、本発明は、移動体通信システムの基地局と移動局との間の通信のみならず、複数設けられた周波数のうちのいずれかで通信する２台の無線通信装置に対して適用することができるものである。
【００９０】
【発明の効果】
以上説明したように、本発明によれば、複数の周波数帯域のいずれかにおいて基地局との通信を行う移動局において、使用する周波数帯域を見つけ出すまでの時間を短縮することができる。
【００９１】
すなわち、上述の第１の実施の形態によれば、ユーザが移動局を前回使ったときと同じ地域にいる場合などで基地局からの無線信号の周波数が変わっていない場合には、その無線信号を即座に受信することができ、この場合には移動体通信システムで用いられる可能性のあるすべての周波数について検出チェックをする必要がなくなり、直ちに移動局を使用可能となるという効果がある。
【００９２】
また、上述の第２の実施の形態によれば、ユーザが過去に移動局を使ったときの基地局からの無線信号の周波数の履歴をとるようにしたので、この履歴にある周波数の地域と同じ地域にいる場合などでは、基地局からの無線信号を即座に受信することができ、この場合には移動体通信システムで用いられる可能性のあるすべての周波数について検出チェックをする必要がなくなり、直ちに移動局を使用可能となるという効果がある。
【００９３】
さらにまた、上述の第３の実施の形態によれば、ユーザが自分で登録をすることができるようにしたので、過去に移動局を使ったことがない地域にいるような場合でも、その地域を移動局に予め登録しておくことによって基地局からの無線信号を即座に受信することができ、この場合には移動体通信システムで用いられる可能性のあるすべての周波数について検出チェックをする必要がなくなり、直ちに移動局を使用可能となるという効果がある。
【図面の簡単な説明】
【図１】本発明による移動局が適用される、ＣＤＭＡ移動体通信システムの一例の概要を示すブロック図である。
【図２】図１に示した移動局が適用されるＣＤＭＡ移動体通信システムの通信環境を示すブロック図である。
【図３】図１に示した移動局の構成の一例を示すブロック図である。
【図４】図３に示した無線部の内部構成を示すブロック図である。
【図５】基地局から送信される無線信号の周波数帯域について説明する図である。
【図６】本発明による移動局の第１の実施の形態において、図３に示したメモリに記憶される内容の構成を示した図である。
【図７】本発明による移動局の第１の実施の形態における処理のフローチャートを示す図である。
【図８】本発明による移動局の第２の実施の形態において、図３に示したメモリに記憶される内容の構成を示した図である。
【図９】本発明による移動局の第２の実施の形態における処理のフローチャートを示す図である。
【図１０】本発明による移動局の第３の実施の形態において、図３に示したメモリに記憶される内容の構成を示した図である。
【図１１】本発明による移動局の第３の実施の形態における処理のフローチャートを示す図であり、図１０に示したユーザ登録テーブルに対する登録を行う処理のフローチャートを示す図である。
【図１２】本発明による移動局の第３の実施の形態における処理のフローチャートを示す図であり、移動局が基地局からの無線信号の周波数を検出する処理のフローチャートを示す図である。
【符号の説明】
１  移動局
２  基地局
３  基地局制御装置
４  交換局
５  関門局
２ａ、２ｂ、２ｃ  基地局
６ａ、６ｂ、６ｃ  セル
１１  アンテナ
１２  無線部
１３  アナログベースバンド処理部
１４  ディジタルベースバンド処理部
１５  ＣＰＵ
１６  メモリ
１７  周辺回路
２０  送受切替回路
２１  送信回路
２２  受信回路
２３  シンセサイザ
３０  前回値エリア
３１  上限値エリア
３２  下限値エリア
３３  履歴テーブル
３４  上限値エリア
３５  下限値エリア
３６  ユーザ登録テーブル
３７  地域コード対応テーブル
３８  上限値エリア
３９  下限値エリア
【図１】
0004903319.tif 000002
【図２】
0004903319.tif 000003
【図３】
0004903319.tif 000004
【図４】
0004903319.tif 000005
【図５】
0004903319.tif 000006
【図６】
0004903319.tif 000007
【図７】
0004903319.tif 000008
【図８】
0004903319.tif 000009
【図９】
0004903319.tif 000010
【図１０】
0004903319.tif 000011
【図１１】
0004903319.tif 000012
【図１２】
0004903319.tif 000013